(57)【要約】【課題】撮影者の負担を軽減しつつ情報漏洩のリスクを低減する技術を提供する。【解決手段】画像処理システムは、元領域を捉えた元画像を取得する取得部と、元画像中の１つ以上の識別子を認識する認識部と、認識部で認識された１つ以上の識別子に基づいて、元領域のうち第１領域を捉えた第１画像部分、および元領域から第１領域を除いた第２領域を捉えた第２画像部分の少なくとも一方を特定する特定部と、特定部による特定結果に応じて、第１画像部分を含む処理済み画像を生成する生成部と、を有する。識別子を用いて自動的に元画像からある画像部分が特定されて、その特定結果に応じて処理済み画像が生成される。【選択図】図５
2017211766.tif 000002
【特許請求の範囲】
【請求項１】
元領域を捉えた元画像を取得する取得部と、
前記元画像中の１つ以上の識別子を認識する認識部と、
前記認識部で認識された前記１つ以上の識別子に基づいて、前記元領域のうち第１領域を捉えた第１画像部分、および前記元領域から前記第１領域を除いた第２領域を捉えた第２画像部分の少なくとも一方を特定する特定部と、
前記特定部による特定結果に応じて、前記第１画像部分を含む処理済み画像を生成する生成部と、
を有する、画像処理システム。
【請求項２】
請求項１に記載の画像処理システムであって、
前記生成部は、前記第２領域を視覚的に認識不能となるように前記第２画像部分を加工し、前記第１画像部分および加工後の前記第２画像部分を含む前記処理済み画像を生成する、画像処理システム。
【請求項３】
請求項１に記載の画像処理システムであって、
前記生成部は、前記第２画像部分を含まず前記第１画像部分を含む前記処理済み画像を生成する、画像処理システム。
【請求項４】
請求項１から請求項３のいずれか１つの請求項に記載の画像処理システムであって、
前記処理済み画像を視覚的に出力する出力部、
をさらに備える、画像処理システム。
【請求項５】
請求項４に記載の画像処理システムであって、
前記取得部による前記第１画像の取得に応答して、前記出力部による前記処理済み画像の出力が即時に実行される、画像処理システム。
【請求項６】
請求項４または請求項５に記載の画像処理システムであって、
前記認識部で認識された前記１つ以上の識別子に基づいて前記特定部が前記第１画像部分および前記第２画像部分のいずれも特定できない場合に、ユーザーに特定できないことを知らせる通知用画像が前記出力部に出力される、画像処理システム。
【請求項７】
請求項１から請求項６のいずれか１つの請求項に記載の画像処理システムであって、
前記取得部、前記認識部、前記特定部、および前記生成部を収容する携帯可能な筐体、
をさらに備え、
前記取得部が前記元領域を撮影範囲とする撮影部である、画像処理システム。
【請求項８】
請求項７に記載の画像処理システムであって、
前記筐体の外部に設けられ、撮影者の身体または撮影者の衣服に装着可能な装着部、
をさらに備える、画像処理システム。
【請求項９】
請求項７または請求項８に記載の画像処理システムであって、
前記筐体の内部に設けられ、前記処理済み画像を前記筐体の外部の装置に送信可能な通信部、
をさらに備える、画像処理システム。
【請求項１０】
撮影者が元領域を撮影して元画像を取得する撮影部、を有する第１端末装置と、
前記元画像中において、第１画像部分と第２画像部分とを区分けするための識別子を認識する認識部と、
前記認識部で認識された１つ以上の前記識別子に基づいて、前記元画像から、閲覧者に伝達する第１領域を捉えた前記第１画像部分、および前記閲覧者に伝達しない第２領域を捉えた前記第２画像部分の少なくとも一方を特定する特定部と、
前記特定部による特定結果に応じて、前記第１領域を視覚的に認識可能な前記第１画像部分を含み、かつ、前記第２領域を視覚的に認識不能となるように前記第２画像部分を加工して、処理済み画像を生成する生成部と、
閲覧者に対して前記処理済み画像を表示する表示部、を有する第２端末装置と、
を備える、画像処理システム。
【請求項１１】
請求項１０に記載の画像処理システムであって、
前記第１端末装置が、前記撮影者が前記閲覧者から情報を受信するための受信部、をさらに有する、画像処理システム。
【請求項１２】
請求項１０または請求項１１に記載の画像処理システムであって、
前記第２端末装置が、前記処理済み画像の取得に応答して前記撮影者に対して与えるべき情報を前記閲覧者が入力する入力部、をさらに有する、画像処理システム。
【請求項１３】
コンピュータにインストールされてＣＰＵによってメモリで実行されることにより、前記コンピュータを請求項１から請求項１２のいずれか１つの請求項に記載の画像処理システムとして機能させる、画像処理プログラム。
【請求項１４】
第１画像部分と第２画像部分とを区分けするための識別子を配置する工程と、
元領域を捉えた元画像を取得する工程と、
前記元画像中の１つ以上の前記識別子を認識する工程と、
認識された前記１つ以上の識別子に基づいて、前記元領域のうち第１領域を捉えた前記第１画像部分、および前記元領域から前記第１領域を除いた第２領域を捉えた前記第２画像部分の少なくとも一方を特定する工程と、
特定結果に応じて、前記第１画像部分を含む処理済み画像を生成する工程と、
を有する、画像処理方法。
【発明の詳細な説明】
【技術分野】
【０００１】
本発明は、元画像に含まれる情報の一部を特定して新たに画像を生成する技術に関する。
【背景技術】
【０００２】
例えば、工場などの現場で作業者がメンテナンス作業を行う場合に、遠隔にいる指示者がメンテナンス作業の手順を作業者に指示する場合がある。
【０００３】
具体的には、例えば、作業者が現場の状況を指示者に通話で伝え、指示者が通話内容を基に現場の状況を把握して作業者に指示を出す場合がある。しかしながら、このような場合、通話内容のみから指示者が状況を正確に把握することは困難であり、適切な指示を行えない虞がある。
【０００４】
そこで、作業者が現場を撮影して得た画像を指示者に送り、指示者がその画像を基に現場の状況を把握する場合がある。しかしながら、この場合、現場における機密情報が画像に含まれる虞がある。また、このような機密情報が含まれないように作業者が注意深く現場を撮影する場合、作業者の負担が増加する。
【０００５】
例えば、特許文献１には、対象物に取付けられたＲＦＩＤ（Radio Frequency Identifier）タグをＲＦＩＤリーダーが検出した場合に、カメラがこの対象物を撮影するシステムが開示されている。このシステムにおいては、撮影タイミングが自動化されることにより作業者の負担が軽減される。
【先行技術文献】
【特許文献】
【０００６】
【特許文献１】特開２００７−１５１００１号公報
【発明の概要】
【発明が解決しようとする課題】
【０００７】
しかしながら、このシステムを用いたとしても、依然として現場における機密情報が画像に含まれる虞がある。
【０００８】
また、現場における機密情報の保護に関する上記例に限らず、撮影範囲に含まれる各種情報（プライバシー情報や著作権情報等）を保護する技術が望まれている。
【０００９】
本発明は、このような課題に鑑みてなされたものであって、撮影者の負担を軽減しつつ情報漏洩のリスクを低減する技術を提供することを目的とする。
【課題を解決するための手段】
【００１０】
上記課題を解決するため、第１の態様にかかる画像処理システムは、元領域を捉えた元画像を取得する取得部と、前記元画像中の１つ以上の識別子を認識する認識部と、前記認識部で認識された前記１つ以上の識別子に基づいて、前記元領域のうち第１領域を捉えた第１画像部分、および前記元領域から前記第１領域を除いた第２領域を捉えた第２画像部分の少なくとも一方を特定する特定部と、前記特定部による特定結果に応じて、前記第１画像部分を含む処理済み画像を生成する生成部と、を有する。
【００１１】
第２の態様にかかる画像処理システムは、第１の態様にかかる画像処理システムであって、前記生成部は、前記第２領域を視覚的に認識不能となるように前記第２画像部分を加工し、前記第１画像部分および加工後の前記第２画像部分を含む前記処理済み画像を生成する。
【００１２】
第３の態様にかかる画像処理システムは、第１の態様にかかる画像処理システムであって、前記生成部は、前記第２画像部分を含まず前記第１画像部分を含む前記処理済み画像を生成する。
【００１３】
第４の態様にかかる画像処理システムは、第１から第３のいずれか１つの態様にかかる画像処理システムであって、前記処理済み画像を視覚的に出力する出力部、をさらに備える。
【００１４】
第５の態様にかかる画像処理システムは、第４の態様にかかる画像処理システムであって、前記取得部による前記第１画像の取得に応答して、前記出力部による前記処理済み画像の出力が即時に実行される。
【００１５】
第６の態様にかかる画像処理システムは、第４の態様または第５の態様にかかる画像処理システムであって、前記認識部で認識された前記１つ以上の識別子に基づいて前記特定部が前記第１画像部分および前記第２画像部分のいずれも特定できない場合に、ユーザーに特定できないことを知らせる通知用画像が前記出力部に出力される。
【００１６】
第７の態様にかかる画像処理システムは、第１から第６のいずれか１つの態様にかかる画像処理システムであって、前記取得部、前記認識部、前記特定部、および前記生成部を収容する携帯可能な筐体、をさらに備え、前記取得部が前記元領域を撮影範囲とする撮影部である。
【００１７】
第８の態様にかかる画像処理システムは、第７の態様にかかる画像処理システムであって、前記筐体の外部に設けられ、撮影者の身体または撮影者の衣服に装着可能な装着部、をさらに備える。
【００１８】
第９の態様にかかる画像処理システムは、第７の態様または第８の態様にかかる画像処理システムであって、前記筐体の内部に設けられ、前記処理済み画像を前記筐体の外部の装置に送信可能な通信部、をさらに備える。
【００１９】
第１０の態様にかかる画像処理システムは、撮影者が元領域を撮影して元画像を取得する撮影部、を有する第１端末装置と、前記元画像中において、第１画像部分と第２画像部分とを区分けするための識別子を認識する認識部と、前記認識部で認識された１つ以上の前記識別子に基づいて、前記元画像から、閲覧者に伝達する第１領域を捉えた前記第１画像部分、および前記閲覧者に伝達しない第２領域を捉えた前記第２画像部分の少なくとも一方を特定する特定部と、前記特定部による特定結果に応じて、前記第１領域を視覚的に認識可能な前記第１画像部分を含み、かつ、前記第２領域を視覚的に認識不能となるように前記第２画像部分を加工して、処理済み画像を生成する生成部と、閲覧者に対して前記処理済み画像を表示する表示部、を有する第２端末装置と、を備える。
【００２０】
第１１の態様にかかる画像処理システムは、第１０の態様にかかる画像処理システムであって、前記第１端末装置が、前記撮影者が前記閲覧者から情報を受信するための受信部、をさらに有する。
【００２１】
第１２の態様にかかる画像処理システムは、第１０または第１１の態様にかかる画像処理システムであって、前記第２端末装置が、前記処理済み画像の取得に応答して前記撮影者に対して与えるべき情報を前記閲覧者が入力する入力部、をさらに有する。
【００２２】
第１３の態様にかかる画像処理プログラムは、コンピュータにインストールされてＣＰＵによってメモリで実行されることにより、前記コンピュータを第１から第１２のいずれか１つの態様かかる画像処理システムとして機能させる。
【００２３】
第１４の態様にかかる画像処理方法は、第１画像部分と第２画像部分とを区分けするための識別子を配置する工程と、元領域を捉えた元画像を取得する工程と、前記元画像中の１つ以上の前記識別子を認識する工程と、認識された前記１つ以上の識別子に基づいて、前記元領域のうち第１領域を捉えた前記第１画像部分、および前記元領域から前記第１領域を除いた第２領域を捉えた前記第２画像部分の少なくとも一方を特定する工程と、特定結果に応じて、前記第１画像部分を含む処理済み画像を生成する工程と、を有する。
【発明の効果】
【００２４】
第１から第１２の態様にかかる画像処理システム、第１３の態様にかかる画像処理プログラム、および第１４の態様にかかる画像処理方法、のいずれによっても、識別子を用いて自動的に元画像からある画像部分が特定されて、その特定結果に応じて処理済み画像が生成される。このため、撮影者の負担を軽減しつつ情報漏洩のリスクを低減できる。
【図面の簡単な説明】
【００２５】
【図１】画像処理システム１の構成の一例を概略的に示す図である。
【図２】ウェアラブルツール１００の外観の一例を示す斜視図である。
【図３】ウェアラブルツール１００の電気的構成の一例を示すブロック図である。
【図４】制御部１１０の構成の一例を概略的に示す機能ブロック図である。
【図５】画像処理部１１４による処理の流れを示すフロー図である。
【図６】認識部１１５によって認識される識別子３０の一例を示す図である。
【図７】ウェアラブルツール１００のカメラ１７０によって捉えられる元領域１７１〜１７３を例示する図である。
【図８】元領域１７１を捉えた元画像１７１ａを例示する図である。
【図９】元領域１７２を捉えた元画像１７２ａを例示する図である。
【図１０】元領域１７３を捉えた元画像１７３ａを例示する図である。
【図１１】処理済み画像１７４を示す図である。
【図１２】通知用画像１７５を示す図である。
【図１３】変形例にかかる処理済み画像１７４Ａを示す図である。
【図１４】変形例にかかる元画像１７１ａＢを示す図である。
【図１５】変形例にかかる処理済み画像１７４Ｂを示す図である。
【発明を実施するための形態】
【００２６】
以下、実施形態の一例ならびに各種変形例を図面に基づいて説明する。なお、図面においては同様な構成及び機能を有する部分については同じ符号が付されており、下記説明では重複説明が省略される。また、図面は模式的に示されたものであり、各図における各種構造のサイズ及び位置関係などは適宜変更され得る。
【００２７】
＜１  実施形態の一例＞
＜１．１  画像処理システムの概略構成＞
図１は、画像処理システム１の構成の一例を概略的に示す図である。
【００２８】
画像処理システム１は、ある領域を撮影する撮影者とその撮影結果の少なくとも一部を閲覧する閲覧者との間で利用されるシステムである。以下では、一例として、画像処理システム１が、印刷装置３００が設置されている現場の印刷所でその印刷装置３００のメンテナンス作業を行う作業者１０（撮影者）と、メンテナンス作業の手順を印刷所の外部の遠隔地から作業者１０に指示する指示者２０（閲覧者）と、の間で利用される場合について説明する。
【００２９】
本実施形態の画像処理システム１は、作業者１０が現場の状況を撮影する際に用いる第１端末装置としてのウェアラブルツール１００と、ウェアラブルツール１００と双方向に通信可能であり且つ指示者２０が利用する第２端末装置としてのＰＣ（Personal Computer）２００と、を備える。
【００３０】
画像処理システム１では、作業者１０がウェアラブルツール１００によって現場の様子を動画形式で撮影する。そして、ウェアラブルツール１００が、この撮影により得られた元画像から処理済み画像を生成し、この処理済み画像をＰＣ２００に送信する。指示者２０は、ＰＣ２００を用いて処理済み画像を確認し、通話やＰＣ２００からの入力により作業者１０にメンテナンス作業の詳細を指示する。
【００３１】
ここで、処理済み画像とは、元画像のうちメンテナンス作業に関わる第１画像部分を含み、且つ残りの第２画像部分（例えば、現場における機密情報など指示者２０に与えるべきでない画像部分）を加工した画像である。ウェアラブルツール１００における画像処理の詳細については後述する。
【００３２】
＜１．２  ウェアラブルツールの詳細＞
図２は、ウェアラブルツール１００の外観の一例を示す斜視図である。まず、図２を参照しつつ、ウェアラブルツール１００の外観の構成について説明する。
【００３３】
ウェアラブルツール１００は、画像処理に関する各機能部を収容する携帯可能な筐体１１と、筐体１１の外部に設けられ作業者１０の頭部に装着可能な装着部１２と、を備える。
【００３４】
筐体１１は、ウェアラブルツール１００が作業者１０に装着された状態で、作業者１０の右目の前方に位置する前方部１１ａと、作業者１０の右耳の側方に位置する側方部１１ｂと、を有する。
【００３５】
前方部１１ａのうち作業者１０の右目と対向する面には表示画面１３２が設けられており、作業者１０は該表示画面１３２を介して各種情報（例えば、処理済み画像）を視認できる。また、前方部１１ａのうち表示画面１３２と反対側の面には後述するカメラ１７０のレンズ１７０ａが設けられており、ウェアラブルツール１００を装着した作業者１０の視線前方の視界が該レンズ１７０ａを通じてウェアラブルツール１００内に取り込まれ撮影される。このため、作業者１０の右目の視野と略同一の範囲が、撮影領域としてウェアラブルツール１００によって捉えられ撮影されて、制御部１１０に入力される。
【００３６】
側方部１１ｂには、図示しないマイク穴およびレシーバ穴が設けられる。また、側方部１１ｂには、作業者１０により操作可能な各種の操作ボタン１４１（撮影のＯＮ／ＯＦＦの切替を行うボタン、ＰＣ２００との通信を開始または終了するためのボタン、および通話機能のＯＮ／ＯＦＦの切替を行うボタン等）が設けられる。これにより、作業者１０は、各種操作部を指などで操作することによって、ウェアラブルツール１００に対して各種指示を与えることができる。
【００３７】
装着部１２は、作業者１０の後頭部にフィットするよう湾曲して設けられた略Ｕ字形状のフレームで構成される。また、ウェアラブルツール１００を装着した作業者１０の右耳付近に相当する箇所で、筐体１１と装着部１２とが固定されている。
【００３８】
図３は、ウェアラブルツール１００の電気的構成の一例を示すブロック図である。図３に示されるように、ウェアラブルツール１００には、制御部１１０、無線通信部１２０、表示部１３０、操作ボタン群１４０、マイク１５０、レシーバ１６０、カメラ１７０、および電池１８０が設けられている。ウェアラブルツール１００に設けられたこれらの構成要素のそれぞれは、筐体１１内に収められている。
【００３９】
制御部１１０は、一種の演算処理装置であって、例えば、電気回路であるＣＰＵ（Central Processing Unit）１１１、および記憶部１１２などを備えている。制御部１１０は、ウェアラブルツール１００の他の構成要素を制御することによって、ウェアラブルツール１００の動作を統括的に管理することが可能である。制御部１１０は、例えば、ＳｏＣ（System-on-a-Chip）、ＭＣＵ（Micro Control Unit）及びＦＰＧＡ（Field-Programmable Gate Array）等の副処理装置（co-processor）をさらに含んでもよい。また、制御部１１０は、ＣＰＵ及び副処理装置の双方を協働させるか、あるいは双方のうちの一方を選択的に用いて、各種の制御をおこなってもよい。また、制御部１１０の全ての機能あるいは制御部１１０の一部の機能は、その機能の実現にソフトウェアが不要なハードウェアによって実現されてもよい。
【００４０】
記憶部１１２は、ＲＯＭ（Read Only Memory）及びＲＡＭ（Random Access Memory）などの、ＣＰＵ１１１が読み取り可能な記録媒体を含む。記憶部１１２が有するＲＯＭは、例えば、不揮発性メモリ１１２ｂであるフラッシュＲＯＭ（フラッシュメモリ）である。また、記憶部１１２が有するＲＡＭは、例えば、揮発性メモリ１１２ａである。記憶部１１２には、ウェアラブルツール１００を制御するためのメインプログラム及び複数のアプリケーションプログラム（以降、単に「アプリケーション」と呼ぶことがある）などが記憶されている。制御部１１０の各種機能は、ＣＰＵ１１１が記憶部１１２内の各種プログラムを実行することによって実現される。記憶部１１２には、例えば、音声による通話を行うための通話アプリケーション、カメラ１７０を用いて静止画像あるいは動画像を撮影するための撮影アプリケーション等が記憶されている。また、記憶部１１２に記憶されるアプリケーションには、例えば、ウェアラブルツール１００を制御するための制御プログラムＰｇ１が含まれる。
【００４１】
なお、記憶部１１２は、ＲＯＭ及びＲＡＭ以外の、コンピュータが読み取り可能な非一時的な記録媒体を備えていてもよい。記憶部１１２は、例えば、小型のハードディスクドライブ及びＳＳＤ（Solid State Drive）などを備えていてもよい。
【００４２】
無線通信部１２０は、アンテナ１２０ａを有している。無線通信部１２０は、例えば、インターネットに接続されたＰＣ２００からの信号を、基地局を介してアンテナ１２０ａで受信する受信部として機能する。また、無線通信部１２０は、アンテナ１２０ａでの受信信号に対して増幅処理及びダウンコンバートなどの所定の処理をおこなって制御部１１０に出力することが可能である。制御部１１０は、入力される受信信号に対して復調処理などをおこなって、当該受信信号に含まれる音声や音楽などを示す信号（音声信号ともいう）などの情報を取得することが可能である。
【００４３】
また、無線通信部１２０は、制御部１１０で生成された送信信号に対して、アップコンバート及び増幅処理などの所定の処理をおこなって、当該処理後の送信信号をアンテナ１２０ａから無線送信する送信部として機能する。アンテナ１２０ａからの送信信号は、例えば、基地局を通じて、インターネットに接続されたＰＣ２００などの通信装置で受信される。
【００４４】
表示部１３０は、表示パネル１３１及び表示画面１３２を備えている。表示パネル１３１は、例えば、液晶パネルあるいは有機ＥＬパネルである。表示パネル１３１は、制御部１１０に制御されることによって、文字、記号、図形などの各種情報を視覚的に出力することが可能である。表示パネル１３１が視覚的に出力する各種情報は、表示画面１３２に表示される。また、ＰＣ２００側にも表示パネルおよび表示画面２３２が設けられており、該表示パネルが視覚的に出力する各種情報は、該表示画面２３２に表示される。後述するビデオ通話の際には、２つの表示画面１３２、２３２において同一の画像（例えば、処理済み画像）が共有される場合がある。
【００４５】
操作ボタン群１４０の各操作ボタン１４１は、作業者１０によって操作されると、操作されたことを示す操作信号を制御部１１０に出力する。これにより、制御部１１０は、各操作ボタン１４１からの操作信号に基づいて、当該操作ボタン１４１が操作されたか否かを判断することができる。制御部１１０は、操作された操作ボタン１４１に応じた処理を行うことが可能である。なお、各操作ボタン１４１は、押しボタンなどのハードウェアボタンではなく、作業者１０の手がタッチすることに応じて反応するソフトウェアボタンであってもよい。この場合には、ソフトウェアボタンへの操作が図示しないタッチパネルによって検出されて、制御部１１０は、操作されたソフトウェアボタンに応じた処理を行うことが可能である。また、操作ボタン１４１やソフトウェアボタン等の物理的接触に限らず、例えば、マイク１５０からの音声認識によって各種操作の処理を行うなど、物理的接触なしに入力する方式であってもよい。
【００４６】
マイク１５０は、ウェアラブルツール１００の外部から入力される音声を電気的な音声信号に変換して制御部１１０に出力することが可能である。ウェアラブルツール１００の外部からの音声は、例えば、筐体１１に設けられた図示しないマイク穴からウェアラブルツール１００の内部に取り込まれてマイク１５０に入力される。
【００４７】
レシーバ１６０は、例えば、ダイナミックスピーカで構成されている。レシーバ１６０は、制御部１１０からの電気的な音声信号を音声に変換して出力することが可能である。レシーバ１６０は、例えば、受話音を出力する。レシーバ１６０から出力される音声は、例えば、筐体１１に設けられた図示しないレシーバ穴から外部に出力される。
【００４８】
カメラ１７０は、レンズおよび撮像素子などで構成されている。カメラ１７０は、制御部１１０の制御によって被写体を撮像し、撮像した被写体が映る静止画像あるいは動画像を生成して制御部１１０に出力する撮影部として機能する。制御部１１０は、入力される静止画像あるいは動画像を、記憶部１１２の不揮発性メモリ１１２ｂあるいは揮発性メモリ１１２ａに記憶することができる。
【００４９】
電池１８０は、ウェアラブルツール１００の動作に必要な電力を出力することが可能である。電池１８０は、例えば、リチウムイオン二次電池などの充電式の電池である。電池１８０は、ウェアラブルツール１００が備える制御部１１０及び無線通信部１２０などの各種電子部品に対して電力を供給することができる。
【００５０】
図４は、制御部１１０の構成の一例を概略的に示す機能ブロック図である。図４は、制御部１１０が備える各機能部のうち、特にウェアラブルツール１００とＰＣ２００とのビデオ通話に関する機能部を示している。図４に示される機能部の他にも、制御部１１０は、例えば、表示部１３０、マイク１５０、レシーバ１６０、カメラ１７０等を個別に制御する個別の制御部を備える。
【００５１】
制御部１１０は、アプリケーション処理部１１０ａを備えている。アプリケーション処理部１１０ａは、例えば、記憶部１１２に記憶されたアプリケーションを読み出して実行することにより、ウェアラブルツール１００の諸機能を発揮する。例えば、アプリケーション処理部１１０ａは、通話機能、撮影機能、および画像処理機能などを発揮することができる。また、ここで実行されるアプリケーションには、例えば、制御プログラムＰｇ１が含まれる。
【００５２】
アプリケーション処理部１１０ａで実現される機能的な構成には、例えば、通信処理部１１３、および画像処理部１１４が含まれる。これらの機能部はソフトウェアで実装されてもよく、その全部または一部がハードウェアで構成されてもよい。
【００５３】
通信処理部１１３は、例えば、外部の通信機器との間における通信処理を行うことができる。該通信処理では、例えば、音声信号や画像信号が、無線通信部１２０を介して、外部の通信機器に送信されうる。また、該通信処理では、例えば、外部の通信機器から無線通信部１２０を介して音声信号や画像信号が受信されうる。
【００５４】
以下では、一例として、ウェアラブルツール１００とＰＣ２００とが通信処理を行う際に、ウェアラブルツール１００からＰＣ２００に向けて音声信号および画像信号が送信され、ＰＣ２００からウェアラブルツール１００に向けて音声信号のみが送信される場合について説明する。この場合、作業者１０は指示者２０による音声情報（例えば、メンテナンス作業のフローに関する音声情報）を取得し、指示者２０は作業者１０による音声情報（例えば、メンテナンス作業時の質問事項）および現場の画像情報（例えば、印刷装置３００の内部の画像）を取得する。
【００５５】
例えば、通信処理部１１３は、無線通信部１２０を介して指示者２０からの着信信号を受信したときに、その着信を作業者１０に報知することができる。この報知に応じて、作業者１０が所定の操作ボタン１４１を操作することにより、通話が開始される。
【００５６】
また、通信処理部１１３は、作業者１０の入力に応じて、無線通信部１２０を介して通話の相手へ発呼信号を送信することができる。例えば、作業者１０は、記憶部１１２に記憶されている連絡先一覧を利用して、相手装置を指定することができる。連絡先一覧には、複数の個人情報が登録されている。各個人情報では、名前と、当該名前を有する人物が所有する装置（携帯電話機やＰＣなど）を識別するための装置識別情報とが対応付けられている。ウェアラブルツール１００は、装置識別情報を利用して、当該相手装置と通話を行うことができる。ウェアラブルツール１００は電話番号やその他の装置識別情報を利用して通話を実行する。
【００５７】
例えば、作業者１０は、ウェアラブルツール１００が連絡先一覧で挙げられた一個人に係る個人情報を表示している状態で、ウェアラブルツール１００に対して音声通話又はビデオ通話の実行を指示することができる。そして、ウェアラブルツール１００に対する作業者１０の操作に応じて、連絡先一覧に含まれるある個人情報を含む個人情報画面が表示画面１３２に表示される。
【００５８】
例えば、作業者１０が各操作ボタン１４１を操作してＰＣ２００とのビデオ通話をウェアラブルツール１００に指示した場合、制御部１１０は、記憶部１１２内から通話アプリケーションおよび撮影アプリケーションを読み出して実行する。そして、指定された相手装置であるＰＣ２００に対してビデオ通話の発信がなされる。
【００５９】
通信処理部１１３は、ビデオ通話が行われているときに、ＰＣ２００から受信した音声信号をレシーバ１６０から出力させ、マイク１５０から入力される音声信号およびカメラ１７０による撮影で得られる画像信号をＰＣ２００へ送信することができる。
【００６０】
例えば、メンテナンス作業時のビデオ通話において、ウェアラブルツール１００の作業者１０が印刷装置３００の内部を見ている場合には、作業者１０の右目の視野（すなわち、作業者１０の右目で視た印刷装置３００の内部のある範囲）と略同一の範囲が、ウェアラブルツール１００の撮影領域として捉えられる。そして、後述する画像処理部１１４が該撮影領域を捉えた元画像を基に処理済み画像を生成し、該処理済み画像がＰＣ２００へ送信される。
【００６１】
作業者１０は操作ボタン１４１を操作してビデオ通話を終了すると、通信処理部１１３による通信処理も終了する。
【００６２】
図５は、画像処理部１１４による処理の流れを示すフロー図である。このフローは、ＣＰＵ１１１によって不揮発性メモリ１１２ｂで制御プログラムＰｇ１が実行されることで実現される。
【００６３】
図６は、認識部１１５によって認識される識別子３０の一例を示す図である。図７は、ウェアラブルツール１００のカメラ１７０によって捉えられる元領域１７１〜１７３を例示する図である。図８〜図１０は、元領域１７１〜１７３を捉えた元画像１７１ａ〜１７３ａを例示する図である。本明細書では、処理済み画像と区別する目的で、カメラ１７０が取得する画像を元画像という。また、本明細書では、処理済み画像が捉える領域と区別する目的で、カメラ１７０が捉える撮影領域を元領域という。以下、各図を参照しつつ、画像処理部１１４の詳細について説明する。
【００６４】
本実施形態では、カメラ１７０が元画像を取得する取得部として機能する。カメラ１７０によって元画像が取得されると、該元画像は、例えば、記憶部１１２の揮発性メモリ１１２ａに記憶される（ステップＳＴ１）。例えば、カメラ１７０が動画像を取得する取得部の場合、ウェアラブルツール１００を装着する作業者１０の動きに応じて元領域が変動し、異なる領域を捉えた元画像が連続的に取得される。
【００６５】
ここで、元画像１７１ａは、印刷装置３００の内部領域（具体的には、４つの識別子３０で囲まれた矩形領域）の全体と、機密情報４０の全体と、を捉えた画像である。元画像１７２ａは、印刷装置３００の内部領域の全体と、機密情報４０の一部と、を捉えた画像である。元画像１７３ａは、印刷装置３００の内部領域の一部を捉えた画像である。ここで、機密情報４０とは、例えば、印刷装置３００が設置されている印刷所の現場でその印刷装置３００のメンテナンス作業を行う作業者１０が視認することは許されるが、それを当該印刷所の外部にいる指示者２０が視認することは許されない情報である。
【００６６】
作業者１０が指示者２０と印刷装置３００の内部の状況を共有するためには、ウェアラブルツール１００からＰＣ２００に向けて上記内部領域の全体を含む画像を送信することが望ましい。他方、情報漏洩のリスクを低減する観点から、ウェアラブルツール１００からＰＣ２００に向けて送信する画像には、機密情報４０が含まれないことが望ましい。
【００６７】
そこで、画像処理部１１４が、図５に示すフローに沿って、上記内部領域の全体を含み且つ機密情報４０を含まない処理済み画像を生成する。そして、該処理済み画像がウェアラブルツール１００からＰＣ２００へ出力される。画像処理部１１４は、認識部１１５と、特定部１１６と、生成部１１７とを含んで構成される。なお、画像処理部１１４による画像処理に先立ち、１つ以上の識別子３０が、作業者１０等によって、カメラ１７０が動画像を取得しうる範囲内（作業者１０の動きに応じて変動される元領域の範囲内）に配置されている。
【００６８】
認識部１１５は、元画像中の１つ以上の識別子３０を認識する（ステップＳＴ２）。図１および図６に示されるように、本実施形態では、印刷装置３００のメンテナンス用の蓋部を開いた際の四隅にそれぞれ識別子３０（合計４つの識別子３０）が設けられる。識別子３０は、元画像中において後述する第１画像部分と第２画像部分とを区分けする機能を有する。この実施形態においては、識別子３０は、指示者２０と共有すべき視野（すなわち画像）で且つ機密情報を含まない範囲（領域）を示すものとして定義され、使用される。識別子３０は、具体的には例えば、二次元コードを有するシールで構成される。ここでシールとは、その表面を印刷等の手法で加工されて、任意の二次元の記号、図形、信号等を可視光の色彩、紫外光、赤外光等を含む任意の波長の電磁波によりカメラ１７０で認識可能に表示した表示物である。シールの裏面には、粘着シート、マグネットシート、クリップ、吸盤等の取り付け構造が設けられる。そして、識別子３０は、ユーザー（例えば、作業者１０）によって、ウェアラブルツール１００の撮影対象となる装置やその周辺部で、且つ、指示者２０と共有すべき視野となるべき部分に貼り付けられる。より具体的には、識別子３０は、機密情報を含まない領域に貼り付けられ、当該領域の種別（この実施形態では、機密情報を含まない領域であること）を示す機能を果たす。
【００６９】
認識部１１５によって４つの識別子３０のうち、少なくとも対角に位置する２つの識別子３０（識別子３０のペアともいう）が認識されると、ステップＳＴ３でＹｅｓに分岐する。他方、認識部１１５によって２組の識別子３０のペアのうちいずれも認識されない場合、ステップＳＴ３でＮｏに分岐する。
【００７０】
例えば、図８に示す元画像１７１ａおよび図９に示す元画像１７２ａでは、４つの識別子３０（２組の３０のペア）が認識部１１５によって認識され、ステップＳＴ３でＹｅｓに分岐する。他方、図１０に示す元画像１７３ａでは、図示右下に位置する１つの識別子３０のみが認識部１１５によって認識され、ステップＳＴ３でＮｏに分岐する。
【００７１】
ステップＳＴ３でＹｅｓに分岐した場合、特定部１１６が、認識部１１５で認識された１つ以上の識別子３０に基づいて、元領域のうち第１領域を捉えた第１画像部分を特定する（ステップＳＴ４）。ここで、第１領域とは、ウェアラブルツール１００からＰＣ２００に送信されるべき情報を含む領域であり、本実施形態では印刷装置３００の内部領域（具体的には、４つの識別子３０で囲まれた矩形領域）と同一である。また、第２領域とは元領域からから第１領域を除いた領域であり、第２画像部分とは第２領域を捉えた画像である。
【００７２】
生成部１１７は、特定部１１６による特定結果に応じて、第１画像部分を含み且つ機密情報４０を含まない処理済み画像を生成する（ステップＳＴ５）。図１１は、この処理済み画像の一例である処理済み画像１７４を示す。図１１に示されるように、生成部１１７は、第２画像部分を含まず第１画像部分を含む処理済み画像１７４を生成する。
【００７３】
そして、生成された処理済み画像１７４が無線通信部１２０および表示部１３０に向けて出力される（ステップＳＴ６）。その結果、処理済み画像１７４がＰＣ２００の表示画面２３２およびウェアラブルツール１００における表示画面１３２に同時に表示される。このように、本実施形態では、識別子３０を用いて自動的に元画像１７１ａから第１画像部分が特定されて、その特定結果に応じて処理済み画像１７４が生成される。そして、該処理済み画像１７４が表示画面１３２、２３２に表示される。このように、処理済み画像１７４は機密情報４０を含んでいないため、印刷所の外部にいる指示者２０が機密情報を見ることはできない。また、上述の処理は印刷所の内部にあるウェアラブルツール１００の内部に行われるため、機密情報４０が印刷所の外部に送信されることもない。従って、撮影者の負担を軽減しつつ情報漏洩のリスクを低減できる。
【００７４】
また、表示画面１３２、２３２への処理済み画像１７４の表示は、カメラ１７０による元画像１７１ａの取得に応答して即時に実行される。このため、作業者１０および指示者２０がビデオ通話を行う期間中に、リアルタイムで上述した画像処理および画像共有が行われることにより、作業者１０と指示者２０との間で円滑にコミュニケーションを図ることができる。
【００７５】
また、ステップＳＴ３でＮｏに分岐した場合、すなわち、認識部１１５で認識された１つ以上の識別子３０に基づいて特定部１１６が第１画像部分を特定できない場合、作業者１０に特定できないことを知らせる通知用画像が無線通信部１２０および表示部１３０に向けて出力される（ステップＳＴ７）。そして、通知用画像がＰＣ２００の表示画面２３２およびウェアラブルツール１００における表示画面１３２に同時に表示される。
【００７６】
図１２は、この場合の通知用画像の一例である通知用画像１７５を示す。通知用画像１７５は、例えば、予め不揮発性メモリ１１２ｂに記憶されている画像である。本実施形態では、通知用画像１７５が、「Confidential」の文字情報を含み、作業者１０および指示者２０に対して元画像に機密情報が含まれうる旨を報知している。
【００７７】
このように、特定部１１６が第１画像部分を特定できる場合には処理済み画像１７４が出力され、特定部１１６が第１画像部分を特定できない場合には通知用画像１７５が出力される。このため、機密情報が漏洩するリスクを効果的に低減できる。
【００７８】
また、特定部１１６が第１画像部分を特定できない場合には、通知用画像１７５が表示画面２３２だけでなく表示画面１３２にも出力される。このため、カメラ１７０の撮影範囲に各識別子３０が含まれるようウェアラブルツール１００の向き等を調整すべきことに、作業者１０が気づき易い。その結果、作業者１０が短時間でこの調整を行い、指示者２０に対して再び処理済み画像１７４を送信することができる。
【００７９】
以上説明したように、本実施形態のビデオ通話では、認識部１１５による識別子３０の認識結果に応じて、表示画面１３２、２３２に処理済み画像１７４が表示されるか通知用画像１７５が表示されるかが自動的に切り替わる。このように、各識別子３０は、処理済み画像１７４を生成する際に画像範囲を制限する機能と、表示される画像を切替える機能と、を有する。
【００８０】
そして、作業者１０または指示者２０がビデオ通話を終了するための操作を行った場合や、ウェアラブルツール１００またはＰＣ２００の電源が切れた場合などに、制御部１１０における制御プログラムＰｇ１の実行が終了される。その結果、図５に示すフローが終了し、表示画面１３２、２３２への画像表示が終了する。また、作業者１０と指示者２０との通話が終了する。
【００８１】
＜２  変形例＞
以上、本発明の実施形態について説明したが、この発明はその趣旨を逸脱しない限りにおいて上述したもの以外に種々の変更を行うことが可能である。
【００８２】
上記実施形態では、生成部１１７が第２画像部分を含まず第１画像部分を含む処理済み画像１７４（図１１）を生成する場合について説明したが、これに限られるものではない。例えば、生成部が、第２領域を視覚的に認識不能となるように第２画像部分を加工し、第１領域を視覚的に認識可能な第１画像部分および加工後の第２画像部分を含む処理済み画像を生成する態様でも構わない。
【００８３】
図１３は、処理済み画像の一例として、変形例にかかる処理済み画像１７４Ａを示す図である。処理済み画像１７４Ａは、元画像１７１ａの第１画像部分をそのまま含み、元画像１７１ａの第２画像部分に対して黒塗りレイヤーを重畳させた画像である。その結果、処理済み画像１７４Ａでは、第２領域を視覚的に認識不能となるようにしている。第２領域は識別子３０によって規定された第１領域（機密情報が含まれておらず指示者２０と共有すべき領域）以外の領域であり、機密情報が含まれる可能性のある領域である。よって、本変形例では、情報漏洩のリスクが低減される。
【００８４】
また、処理済み画像１７４Ａでは、画像全体に対する第１画像部分の位置および大きさが、処理済み画像１７４の場合と同様である。したがって、表示画面１３２、２３２に表示された場合に、作業者１０および指示者２０が作業者１０と画像全体に対する第１画像部分の位置および大きさを把握しやすい。他方、上記実施形態の処理済み画像１７４では、第１画像部分が拡大されて表示画面１３２、２３２に表示されるので、作業者１０および指示者２０が第１画像部分の詳細を把握しやすい。また、上記実施形態の処理済み画像１７４では、作業者１０の頭部の揺れ等に起因して元領域が変動したとしても表示画面１３２、２３２に表示される処理済み画像１７４は変動しない。このため、表示画面１３２、２３２を視る作業者１０および指示者２０の視認負担が軽減する。
【００８５】
生成部が第２領域を視覚的に認識不能となるように第２画像部分を加工し、第１画像部分および加工後の第２画像部分を含む処理済み画像を生成する態様として、上記変形例の態様の他にも種々の態様を採用しうる。例えば、第２画像部分を予め準備した画像（例えば、ある一色のべた塗り画像）に置換する態様や、第２画像部分にフィルタリング処理（例えば、モザイク処理）を実行する態様や、第２画像部分にスクランブル処理を実行する態様を採用しうる。
【００８６】
また、上記実施形態では、特定部１１６が、認識部１１５で認識された１つ以上の識別子３０に基づいて、元領域のうち第１領域を捉えた第１画像部分を特定する態様について説明したが、これに限られるものではない。例えば、特定部が元領域から第１領域を除いた第２領域を捉えた第２画像部分を特定する態様でもよい。すなわち、この場合、識別子３０は、機密情報を含む領域を示すものとして定義され、使用される。
【００８７】
図１４は、元画像の一例として、変形例にかかる元画像１７１ａＢを示す図である。図１５は、処理済み画像の一例として、変形例にかかる処理済み画像１７４Ｂを示す図である。
【００８８】
この変形例では、機密情報４０（例えば、工場内における印刷装置３００以外の他の装置）に予め４つの識別子３０が貼り付けられる。そして、ウェアラブルツール１００で撮影した際に、元画像１７１ａＢのうち４つの識別子３０で囲まれた部分が、特定部によって第２画像部分として特定される。そして、該第２画像部分に黒塗りレイヤーが重畳されて、処理済み画像１７４Ｂが生成される。このように、識別子３０が、ＡＲ（Augmented Reality：拡張現実）マーカーとして機能してもよい。すなわち、識別子３０は、上記実施形態のように元画像から第１画像部分を抽出する位置および大きさを指定する標識として機能してもよいし、本変形例のように画像認識型ＡＲシステムにおいて付加情報を表示する位置および大きさを指定するための標識として機能してもよい。
【００８９】
この処理済み画像１７４Ｂは、機密情報４０を含む第２画像部分をピンポイントで黒塗りにし、他の部分（第１画像部分）は元画像１７１ａＢと同様である。したがって、表示画面１３２、２３２に該処理済み画像１７４Ｂが表示された場合に、作業者１０および指示者２０がウェアラブルツール１００の撮影範囲に含まれる様子を的確に把握しやすい。また、この変形例では、認識部で認識された１つ以上の識別子３０に基づいて特定部が第２画像部分を特定できない場合に、通知用画像１７５が出力される。また、この変形例とはさらに異なる例として、特定部が第１画像部分および第２画像部分の双方を特定する態様であってもよい。
【００９０】
上記実施形態では、印刷装置３００の蓋部を開いた際の四隅にそれぞれ識別子３０（合計４つの識別子３０）が設けられ、２組の識別子３０のペアのうちいずれかが認識部で認識された場合にステップＳＴ３でＹｅｓに分岐する態様について説明したが、これに限られるものではない。
【００９１】
例えば、四隅のうち対角に位置する２箇所にそれぞれ識別子３０（合計２つの識別子３０）が設けられ、その両方が認識部で認識された場合にステップＳＴ３でＹｅｓに分岐する態様でも構わない。この場合、事前に識別子３０を装置に張り付ける手間が省略される。他方、上記実施形態のように２組の識別子３０のペアのうちいずれかを認識すれば処理済み画像１７４を生成できる態様では、ビデオ通話をしつつ行うメンテナンス作業において表示画面１３２、２３２における処理済み画像１７４の表示が途切れ難い。具体的には、指示者２０からの指示に応じて作業者１０が印刷装置３００にメンテナンス作業を行う際に、一部の識別子３０（例えば、図７で示す右下隅に位置する識別子３０）が作業者１０の手で覆われてウェアラブルツール１００によって認識出来なくなったとしても、他の識別子３０（例えば、図７で示す左下隅および右上隅に位置する識別子３０）がウェアラブルツール１００によって認識出来れば、継続的に処理済み画像１７４が生成され表示画面１３２、２３２に表示される。
【００９２】
また、識別子３０は少なくとも１つ設けられれば足りる。例えば、図７で示す右上隅に位置する識別子３０のみが設けられ、他の３つの識別子３０が設けられなくてもよい。この場合、右上隅に設けられた１つの識別子３０が第１画像部分を特定するための情報を持つ必要がある。具体的には、例えば、該１つの識別子３０が、「該１つの識別子３０が右上隅に位置する矩形領域で且つ所定の横幅および縦幅を持つ矩形領域を、第１画像部分とする」という情報を持つように定義され、その定義に従って第１画像部分等の算出をおこなわれるようにすればよい。また、この変形例とはさらに異なる例として、１つの識別子が、「該１つの識別子３０を中心として所定の半径を持つ円領域を、第２画像部分とする」という情報を持っていてもよい。さらにその場合において、例えばその１つの識別子３０の大きさがその半径を表すように定義されることで、１つの形状の識別子で異なる大きさの領域を表現することもできる。
【００９３】
逆に、多数の識別子を任意の形に配置することで、任意の形状の領域を定義することもできる。例えば、識別子に表示する二次元コードとして『「』、『」』、『Ｌ』等のマークを利用して方向を示したり、数字を表示した識別子を一筆書き順に並べて配置したりするなどの方法で、多角形、凹、凸やそれらの組み合わせの複雑な形状の領域を表現することもできる。
【００９４】
また、上記実施形態では、識別子３０が二次元コードを有するシールとして構成される態様について説明したが、これに限られるものではない。識別子が物体の色や形状で構成される態様であってもよい。例えば、印刷装置３００の蓋部を開いた際の輪郭形状が識別子として機能してもよい。この場合、例えば、ウェアラブルツール１００を装着した作業者１０が印刷装置３００の蓋を開けるまでは該識別子が認識されず、通知用画像１７５が表示画面１３２、２３２に表示される。そして、作業者１０が印刷装置３００の蓋を開けると上記輪郭形状が識別子として認識されて、処理済み画像１７４が表示画面１３２、２３２に表示される。
【００９５】
また、識別子３０が二次元コードを有するシールとして構成される態様において、シールごとにサイズやコードが異なっていてもよい。例えば、識別子３０が第２画像部分を特定するための識別子である場合、特に情報漏洩を防止したい箇所には相対的にサイズの大きい識別子３０が貼られうる。この場合、ウェアラブルツール１００によって遠距離からサイズの小さい識別子３０とサイズの大きい識別子３０とを含む領域を撮影した際に、サイズの大きい識別子３０の方がより認識されやすくなり、情報漏洩のリスクがより低減される。
【００９６】
また、識別子３０は、認識部１１５で認識可能な態様であれば、可視光では不可視なものであってもよい。
【００９７】
また、上記実施形態では、元画像を取得する取得部（カメラ１７０）および画像処理部１１４が筐体１１の内部に収容されて、ウェアラブルツール１００内で元画像の取得から処理済み画像の生成まで実行する態様について説明したが、これに限られるものではない。
【００９８】
例えば、ウェアラブルツール１００が取得部（カメラ１７０）を有し、ＰＣ２００が画像処理部１１４を有して、画像処理システム１が構成されてもよい。この場合、まずＰＣ２００に機密情報４０を含みうる元画像が送信される。そして、ＰＣ２００における通信部（取得部として機能する部分）が該元画像を取得すると、その取得に応答して画像処理部１１４が機能し、即時に処理済み画像が生成される。そして、該処理済み画像が表示画面１３２、２３２に表示される。このため、ＰＣ２００側で画像処理を行ったとしても、指示者２０に元画像が表示される情報漏洩のリスクを抑制できる。上記実施形態のように取得部が元領域を撮影範囲とする撮影部である場合の他、本変形例のように取得部が元画像を受信する通信部であってもよい。また、本変形例のようにＰＣ２００側で主たる画像処理を行わせる場合、制御プログラムＰｇ１をＰＣ２００（コンピュータ）にインストールさせて、ＰＣ２００のＣＰＵによって該制御プログラムＰｇ１をメモリで実行させればよい。
【００９９】
また、この変形例とはさらに異なる例として、認識部１１５、特定部１１６、および生成部１１７を含んで構成される画像処理部１１４が、ウェアラブルツール１００とＰＣ２００とで分担されていてもよい。具体的には、例えば、ウェアラブルツール１００が認識部１１５および特定部１１６を有し、ＰＣ２００が生成部１１７を有する態様でもよい。また、ウェアラブルツール１００が認識部１１５を有し、ＰＣ２００が特定部１１６および生成部１１７を有する態様でもよい。
【０１００】
また、上記実施形態では、ビデオ通話期間に処理済み画像１７４が表示画面１３２、２３２に表示される態様について説明したが、これに限られるものではない。例えば、指示者２０は、処理済み画像１７４の取得に応答して、作業者１０に対して与えるべき情報をＰＣ２００の入力部（例えば、キーボードやマウス等）から入力する。このように指示者２０によって生成された新画像（処理済み画像１７４に指示者２０が情報を付記した画像）が、ビデオ通話期間に表示画面１３２、２３２に表示されてもよい。新画像とは、例えば、処理済み画像１７４のうち、特にメンテナンスを行うべき箇所を指示者２０が丸印で囲って指定した画像である。このような新画像を作業者１０および指示者２０で共有しつつビデオ通話を行うことで、作業者１０と指示者２０とのコミュニケーションが円滑に図られる。なお、処理済み画像に対応して作業者１０に対して指示者２０が与えるべき作業指示内容は、上述した新画像に限らず、例えば音声による指示をレシーバ１６０から作業者１０に聞かせる形態であってもよく、ウェアラブルツール１００によって受信して作業者１０が認識できる形態の情報であればよい。
【０１０１】
また、上記実施形態では、ウェアラブルツール１００が、筐体１１の内部に設けられ処理済み画像を筐体１１の外部の装置（ＰＣ２００）に送信可能な無線通信部１２０、を備える態様について説明したが、これに限られるものではない。例えば、ウェアラブルツール１００が有線の通信部を備える態様でもよい。また、作業者１０が使用する第１の端末装置としては、作業者１０の身体、衣服等に取り付け可能ないわゆるウェアラブルツールに限らず、例えば一般的な高機能携帯電話等の携帯通信端末を、作業者１０が手持ちで、あるいは三脚等の任意の固定機構を用いて設置して使用してもよい。また、指示者２０が使用する第２の端末装置と同様にＰＣ（Personal Computer）を用いてもよい。この場合、ＰＣには撮影のためのカメラ機能を有することが必要である。また、ウェアラブルツール１００が通信部を備えない態様でもよい。この態様では、処理済み画像が記憶部１１２に記憶されて一定時間経過した後に、該記憶部１１２から取出された処理済み画像が他の装置（例えば、ＰＣ２００）に入力される。この態様では、リアルタイムにウェアラブルツール１００とＰＣ２００とで通信することが出来ないものの、撮影者の負担を軽減しつつ情報漏洩のリスクを低減できるという上記実施形態と同様の効果は得られる。
【０１０２】
また、上記実施形態では、ウェアラブルツール１００の装着部１２が筐体１１の外部に設けられ作業者１０の頭部に装着可能な態様について説明したが、これに限られるものではない。装着部は、作業者１０の身体または作業者１０の衣服に装着可能であれば、種々の態様を採用しうる。
【０１０３】
また、上記実施形態では、出力部によって処理済み画像を視覚的に出力する態様として、表示画面１３２、２３２に処理済み画像を表示する態様について説明したが、これに限られるものではない。画面表示の他にも、例えば、処理済み画像をスクリーン等に投影する態様であってもよい。
【０１０４】
また、上記実施形態では、印刷装置３００のメンテナンス作業において、作業者１０と指示者２０との間で画像処理システム１が利用される態様について説明したが、これに限られるものではない。画像処理システム１は、ある領域を撮影する撮影者とその撮影結果の少なくとも一部（すなわち、処理済み画像）を閲覧する閲覧者との間で、種々の態様で利用されうる。
【０１０５】
以上、実施形態およびその変形例に係る画像処理システム、画像処理プログラム、および画像処理方法について説明したが、これらは本発明に好ましい実施形態の例であって、本発明の実施の範囲を限定するものではない。本発明は、その発明の範囲内において、各実施形態の自由な組み合わせ、あるいは各実施形態の任意の構成要素の変形、もしくは各実施形態において任意の構成要素の増減が可能である。
【符号の説明】
【０１０６】
１  画像処理システム
１０  作業者
２０  指示者
３０  識別子
１００  ウェアラブルツール
１１３  通信処理部
１１４  画像処理部
１１５  認識部
１１６  特定部
１１７  生成部
１３２、２３２  表示画面
１７１〜１７３  元領域
１７１ａ〜１７３ａ、１７１ａＢ  元画像
１７４、１７４Ａ、１７４Ｂ  処理済み画像
２００  ＰＣ
３００  印刷装置
【図１】
2017211766.tif 000003
【図２】
2017211766.tif 000004
【図３】
2017211766.tif 000005
【図４】
2017211766.tif 000006
【図５】
2017211766.tif 000007
【図６】
2017211766.tif 000008
【図７】
2017211766.tif 000009
【図８】
2017211766.tif 000010
【図９】
2017211766.tif 000011
【図１０】
2017211766.tif 000012
【図１１】
2017211766.tif 000013
【図１２】
2017211766.tif 000014
【図１３】
2017211766.tif 000015
【図１４】
2017211766.tif 000016
【図１５】
2017211766.tif 000017